(57)【要約】【課題】  電子機器のアイコンで表示される多数の機能からより迅速かつ容易に目的とするアイコン（機能）を選択する。【解決手段】  電子機器の選択可能な多数の機能を同時にアイコンで表示し、全アイコンを予め定めた複数のグループに分け、これら複数のグループから選択されたいずれか一つのグループに属するアイコンを、選択されない他のグループに属するアイコンと区別して表示し、この区別表示された複数のアイコンから特定のアイコンを選択し、選択されたアイコンを有効とする電子機器の表示選択装置及び方法。【選択図】  図３
2005227896.tif 000002
【特許請求の範囲】
【請求項１】
電子機器の選択可能な多数の機能を同時にアイコンで表示する表示器と；
全アイコンを予め定めた複数のグループに分け、これら複数のグループから選択されたいずれか一つのグループに属するアイコンの全てを、選択されない他のグループに属するアイコンと区別して表示する区別表示手段と；
この区別表示された複数のアイコンから特定のアイコンを選択する選択手段と；
選択されたアイコンを有効とする決定手段と；
を有することを特徴とする電子機器の表示選択装置。
【請求項２】
請求項１記載の電子機器の表示選択装置において、上記区別表示手段は、選択グループが変更されたとき区別表示を該選択されたグループのアイコンに変更する電子機器の表示選択装置。
【請求項３】
請求項２記載の電子機器の表示選択装置において、上記区別表示手段は、選択されたグループのアイコンを表示枠で囲んで表示する電子機器の表示選択装置。
【請求項４】
請求項２または３記載の電子機器の表示選択装置において、上記区別表示手段は、選択されたグループのアイコンの輝度を選択されないグループのアイコンの輝度より高く表示する電子機器の表示選択装置。
【請求項５】
請求項２ないし４のいずれか１項記載の電子機器の表示選択装置において、上記区別表示手段は、選択されたグループのアイコンの大きさを選択されないグループのアイコンより大きく表示する電子機器の表示選択装置。
【請求項６】
電子機器の選択可能な多数の機能を同時にアイコンで表示するステップと；
全アイコンを予め定めた複数のグループに分け、これら複数のグループから選択されたいずれか一つのグループに属するアイコンの全てを、選択されない他のグループに属するアイコンと区別して表示する区別表示ステップと；
この区別表示された複数のアイコンから特定のアイコンを選択する選択ステップと；
選択されたアイコンを有効とする決定ステップと；
を有することを特徴とする電子機器の表示選択方法。
【請求項７】
請求項６記載の電子機器の表示選択方法において、上記区別表示ステップは、選択グループが変更されたとき区別表示を該選択されたグループのアイコンに変更する電子機器の表示選択方法。
【請求項８】
請求項７記載の電子機器の表示選択方法において、上記区別表示ステップは、選択されたグループのアイコンを表示枠で囲んで表示する電子機器の表示選択方法。
【請求項９】
請求項７または８記載の電子機器の表示選択方法において、上記区別表示ステップは、選択されたグループのアイコンの輝度を選択されないグループのアイコンの輝度より高く表示する電子機器の表示選択方法。
【請求項１０】
請求項７ないし８のいずれか１項記載の電子機器の表示選択方法において、上記区別表示ステップは、選択されたグループのアイコンの大きさを選択されないグループのアイコンより大きく表示する電子機器の表示選択方法。
【発明の詳細な説明】
【技術分野】
【０００１】
本発明は、電子機器の表示選択装置及び表示選択方法に関する。
【背景技術】
【０００２】
カメラ等の電子機器には、その機器に備えられた各種の機能を選択するための表示選択装置が備えられている。選択可能な機能はアイコンで表示され、表示されたアイコンを選択することで、機能が選択される。選択可能な機能が増えるにつれ、アイコンは階層構造とされており、下層のアイコンに到達するには、正しい上層のアイコンを選択しなければならない。
【発明の開示】
【発明が解決しようとする課題】
【０００３】
ところが、上述の表示選択装置における階層構造は、必ずしもユーザフレンドリーではない。使用する電子機器についての知識が十分でないユーザは、使用（選択）したい下層構造の機能（アイコン）は分かっても、その下層構造の機能がどの上層構造のアイコンに属するのか分からず、機能選択操作に時間がかかることがある。
【０００４】
一方、選択可能なアイコンを全て均等に表示すると、選択すべきアイコンを探しにくいという問題がある。
【０００５】
本発明は、以上の問題意識に基づき、より機能（アイコン）選択が容易な表示選択装置及び表示選択方法を得ることを目的とする。
【課題を解決するための手段】
【０００６】
本発明は、電子機器の選択可能な多数の機能を同時にアイコンで表示し、全アイコンを予め定めた複数のグループに分け、これら複数のグループから選択されたいずれか一つのグループに属するアイコンの全てを、選択されない他のグループに属するアイコンと区別して表示し、この区別表示された複数のアイコンから特定のアイコンを選択し、選択されたアイコンを有効とすることを特徴としている。
【０００７】
選択グループが変更されたときには、区別表示を該選択されたグループのアイコンに変更する。区別表示は、少なくとも、選択されたグループのアイコンを表示枠で囲んで表示し、又は（加えて）、選択されたグループのアイコンの輝度を選択されないグループのアイコンの輝度より高く表示し、又は（加えて）、選択されたグループのアイコンの大きさを選択されないグループのアイコンより大きく表示することで行うことができる。
【発明の効果】
【０００８】
本発明によれば、電子機器のアイコンで表示される多数の機能からより迅速かつ容易に目的とするアイコン（機能）を選択することができる。
【発明を実施するための最良の形態】
【０００９】
この実施形態は、本発明をデジタルカメラ１０に適用した実施形態である。図１に示すように、デジタルカメラ１０の背面には、電源スイッチ１１、ＬＣＤパネル（表示器）１２、及び十字スイッチ１３が配置されている。十字スイッチ１３は、周縁に９０゜ずつ方向が異なる矢印キーを有し、該当する矢印部分を押すことで選択アイコンを変更（選択）することができ、さらに中心を押すことで決定（設定）する選択・設定スイッチである。デジタルカメラ１０内には、図２に示すように、ＬＣＤパネル１２を制御するＣＰＵ１４、撮影レンズによる被写体像を撮像する撮像部１５、モード情報、機能（アイコン）データ、機能分類データ、表示枠データが予め記憶されているＲＯＭ１６及び撮像データを一時的に保管するＲＡＭ１７が設けられており、撮影モードでは、撮像部１５による被写体像がＣＰＵ１４を介してＬＣＤパネル１２に表示される。ＣＰＵ１４には、撮影モード、再生モード、機能（アイコン）選択等のモードを選択する、十字スイッチ１３を含む操作部材１８が接続されている。
【００１０】
デジタルカメラ１０のＣＰＵ１４は、電源スイッチ１１が最初にＯＮされたとき、撮影モードを選択し、撮像部１５に撮像される被写体像をＬＣＤパネル１２に表示する。本実施形態では、撮影モードにおいて十字スイッチ１３の下方を押圧すると機能選択モードに入る。
【００１１】
図３は、機能選択モードに移行したときのＬＣＤパネル１２の表示例を示している。この例では、ＬＣＤパネル１２には、デジタルカメラ１０の選択可能な機能として、
Ａ．標準モード
Ｂ．夜景モード
Ｃ．ユーザ設定モード
Ｄ．動画モード
Ｅ．風景撮影
Ｆ．ポートレート撮影
Ｇ．セルフポートレート撮影
Ｈ．花撮影
Ｉ．夕景撮影
Ｊ．紅葉撮影
Ｋ．サーフ＆スノー撮影
Ｌ．録音モード
Ｍ．パノラマ撮影
Ｎ．立体（３Ｄ）撮影
Ｏ．デジタルフィルターモード
Ｐ．アラーム
の１６の機能が存在している。
【００１２】
以上のＡからＰの全１６の機能（アイコン）は、関連が深いと考えられる次の３つの同類グループに予め分類され、ＲＯＭ１６内に記憶されている。
第一グループ
Ａ〜Ｄ
第二グループ
Ｅ〜Ｋ
第三グループ
Ｌ〜Ｐ
同類とした理由は、第一グループは撮影前の設定に属し、第二グループは撮影時の被写体に応じた設定に属し、第三グループは特殊機能に属する設定に属することによる。
【００１３】
本実施形態の表示選択では、機能選択モードに移行したとき、以上の第一グループから第三グループのいずれか一つを選択し、選択されたグループに属するアイコンの全てを、選択されない他のグループに属するアイコンとは区別して表示する。図３は、選択されたグループのアイコン（第一のグループ）を表示枠１９で囲んで表示する例を示している。この表示枠１９内に、希望するアイコンが存在すれば、十字スイッチ１３を用いてそのアイコンを選択する。選択されたことは、例えば表示枠１９内でそのアイコンの輝度を高めたり、別色を付したりして表示する。そして、そのアイコンを有効にするには、十字スイッチ１３の中心を押圧する。
【００１４】
すなわち、ＣＰＵ１４は、ＲＯＭ１６内に記憶されたすべてのアイコンをＬＣＤパネル１２上に同時に表示させ、十字スイッチ１３の操作に基づき、選択されたグループのアイコンと選択されない他のグループのアイコンと区別して表示する。また、十字スイッチ１３の中心部が押されたとき、選択されたアイコン（機能）を有効としてデジタルカメラ１０に設定する。
【００１５】
図３の状態において、別のグループを選択するには、十字スイッチ１３を用いて、別のグループ内の希望するアイコンを選択し、または希望するアイコンが属するグループのアイコンのいずれかを選択する。図４は、第二のグループが選択され、表示枠１９が第二のグループのアイコンを囲った状態を示している。希望するアイコンの選択及び決定は、十字スイッチ１３を用いて上の手順と同様に行うことができる。
【００１６】
図５は、選択されたグループのアイコンの輝度を選択されないグループのアイコンの輝度より高く表示する例を示している。図６は、選択されたグループのアイコンの大きさを選択されないグループのアイコンより大きく表示する例を示している。
【００１７】
図３、図４の表示枠１９の表示は、例えばＲＯＭ１６に表示枠１９とアイコンデータを別個に記憶しておき、グループの選択状態に応じ、選択されたアイコン表示に表示枠１９をスーパーインポーズ表示させることで得ることができる。図５の輝度変更表示は、ＲＯＭ１６に、表示枠１９に代えて透過率を低下させる低透過率枠を記憶し、図６の大きさ変更表示は、選択されないグループのアイコンの記憶データを間引いて表示することで得ることができる。
【００１８】
またグループ間のアイコンの表示態様を区別する際の移動速度と、グループ内での選択アイコンの表示移動速度とは異ならせてもよい。例えばグループの選択は、十字スイッチ１３を比較的長い時間押し続けたときに移動を実行し、グループ内でのアイコンの選択は、十字スイッチ１３のより短い時間の押圧で実行する。
【００１９】
以上の実施形態では、デジタルカメラ１０を例に本発明を説明したが、本発明はデジタルカメラ以外の各種機能をアイコンで表示する電子機器一般に適用することができる。
【図面の簡単な説明】
【００２０】
【図１】本発明による電子機器の表示選択装置をデジタルカメラに適用した実施形態を示す、カメラの背面図である。
【図２】同デジタルカメラの制御系を示すブロック図である。
【図３】同デジタルカメラのＬＣＤの表示例を示す正面図である。
【図４】図３の表示例とは異なる表示状態を示す正面図である。
【図５】同デジタルカメラのＬＣＤの別の表示例を示す正面図である。
【図６】同デジタルカメラのＬＣＤのさらに別の表示例を示す正面図である。
【符号の説明】
【００２１】
１０  デジタルカメラ（電子機器）
１１  電源スイッチ
１２  ＬＣＤパネル（表示器）
１３  十字スイッチ（選択・設定スイッチ）
１４  ＣＰＵ
１５  撮像部
１６  ＲＯＭ
１７  ＲＡＭ
１８  操作部材
１９  表示枠
【図１】
2005227896.tif 000003
【図２】
2005227896.tif 000004
【図３】
2005227896.tif 000005
【図４】
2005227896.tif 000006
【図５】
2005227896.tif 000007
【図６】
2005227896.tif 000008